(57)【要約】      （修正有）【課題】優先端末が通信を行う際に生じる悪影響を軽減させる技術を提供する。【解決手段】優先度の高い無線端末と、優先度の低い無線端末とに対して無線通信を行う無線中継装置であって、優先度の高い無線端末のトラヒックがあるか否かを判定し、判定結果に応じて送信停止期間が設定された制御信号を、優先度の低い接続端末に送信する。この制御信号はタイマー管理による間隔で送信し、ＣＴＳフレームである。また、無線中継装置は優先度の低い無線端末と接続する際に、優先度の低い無線端末が使用する帯域を通知する。【選択図】図１
2014096660.tif 000002
【特許請求の範囲】
【請求項１】
優先度の高い無線端末と、優先度の低い無線端末とに対して無線通信を行う無線中継装置であって、
送信停止期間が設定された制御信号を、前記優先度の低い接続端末に送信する無線通信部を備える無線中継装置。
【請求項２】
前記優先度の高い無線端末のトラヒックがあるか否かを判定するトラヒック監視部を更に備え、
前記無線通信部は、前記トラヒック監視部の判定結果に応じて前記制御信号を前記優先度の低い無線端末に送信する、請求項１に記載の無線中継装置。
【請求項３】
前記制御信号を前記優先度の低い無線端末に送信する間隔を管理するタイマー管理部を更に備え、
前記無線通信部は、前記間隔で前記制御信号を送信する請求項１又は２に記載の無線中継装置。
【請求項４】
前記制御信号は、ＣＴＳフレームであることを特徴とする請求項１に記載の無線中継装置。
【請求項５】
前記無線通信部は、前記優先度の低い無線端末と接続する際に、前記優先度の低い無線端末が使用する帯域を通知する請求項１に記載の無線中継装置。
【請求項６】
優先度の高い無線端末と、優先度の低い無線端末とに対して無線通信を行う無線中継装置であって、
送信停止期間が設定された制御信号を、前記優先度の低い接続端末に送信する無線通信ステップを有する無線中継方法。
【発明の詳細な説明】
【技術分野】
【０００１】
本発明は、ネットワークの優先制御技術又は帯域制御技術に関する。
【背景技術】
【０００２】
近年、無線ＬＡＮ（Local Area Network）を利用できる無線端末が普及し、無線ＬＡＮの利用者が急増している。また、ユーザが所有する無線ＬＡＮ中継装置（以下、「ＡＰ」という。）を外部ユーザに開放することによって、ＡＰを利用可能にするＦＯＮのような利用モデルが増加している。しかし、このような利用モデルでは、外部ユーザの増加に伴い、ＡＰの所有者の通信帯域が圧迫されてしまう。そのため、ＡＰの所有者の無線通信に悪影響を及ぼしてしまうおそれがあった。
【０００３】
そこで、無線ＬＡＮの優先制御を行う方式が提案されている（例えば、特許文献１及び特許文献２）。また、無線ＬＡＮの優先制御技術としてＷＭＭ（Wiｆi MultiMedia）が提案されている。このＷＭＭの技術では、フレーム種別によって優先度を設定し、その優先度に従って優先対象となるフレームを優先して送信することができる。
【先行技術文献】
【特許文献】
【０００４】
【特許文献１】特開２０１２−８５０７９号公報
【特許文献２】特開２０１１−１９３０４６号公報
【発明の概要】
【発明が解決しようとする課題】
【０００５】
しかしながら、ＷＭＭを用いた技術では、複数の無線端末の送信タイミング及びトラヒック量をＡＰ側で制御することができない。即ち、ＷＭＭを用いた技術では、ＡＰは上り方向（無線端末からＡＰへ向けた方向）に対しては優先制御を行えない。そのため、外部ユーザの増加に伴って上り方向の通信帯域が圧迫されてしまい、ＡＰの所有者の通信に悪影響を及ぼしてしまうという問題があった。このような問題は、ＡＰの所有者の通信に限らず、ＡＰの所有者の関係者など、本来的にＡＰを介した通信が優先されるべき人物（以下、「ＡＰ関連者」という。）が操作する無線端末（以下、「優先端末」という。）の通信全般に共通する問題である。
【０００６】
上記事情に鑑み、本発明は、優先端末が通信を行う際に生じる悪影響を軽減させる技術の提供を目的としている。
【課題を解決するための手段】
【０００７】
本発明の一態様は、優先度の高い無線端末と、優先度の低い無線端末とに対して無線通信を行う無線中継装置であって、送信停止期間が設定された制御信号を、前記優先度の低い接続端末に送信する無線通信部を備える無線中継装置である。
【０００８】
本発明の一態様は、上記の無線中継装置であって、前記優先度の高い無線端末のトラヒックがあるか否かを判定するトラヒック監視部を更に備え、前記無線通信部は、前記トラヒック監視部の判定結果に応じて前記制御信号を前記優先度の低い無線端末に送信する。
【０００９】
本発明の一態様は、上記の無線中継装置であって、前記制御信号を前記優先度の低い無線端末に送信する間隔を管理するタイマー管理部を更に備え、前記無線通信部は、前記間隔で前記制御信号を送信する。
【００１０】
本発明の一態様は、上記の無線中継装置であって、前記制御信号は、ＣＴＳフレームであることを特徴とする。
【００１１】
本発明の一態様は、上記の無線中継装置であって、前記無線通信部は、前記優先度の低い無線端末と接続する際に、前記優先度の低い無線端末が使用する帯域を通知する。
【００１２】
本発明の一態様は、優先度の高い無線端末と、優先度の低い無線端末とに対して無線通信を行う無線中継装置であって、送信停止期間が設定された制御信号を、前記優先度の低い接続端末に送信する無線通信ステップを有する無線中継方法である。
【発明の効果】
【００１３】
本発明により、優先端末が通信を行う際に生じる悪影響を軽減させることが可能となる。
【図面の簡単な説明】
【００１４】
【図１】本実施形態における無線通信システムのシステム構成を示す図である。
【図２】ＡＰ１０の機能構成を表す概略ブロック図である。
【図３】ＳＳＩＤデータベース１０５の構成の具体例を表す図である。
【図４】本実施形態におけるＡＰ１０による接続開始処理の流れを示すフローチャートである。
【図５】本実施形態におけるＳＳＩＤデータベース１０５の設定変更の処理の流れを示すフローチャートである。
【図６】本実施形態における接続開始処理の具体的な動作を示すシーケンス図である。
【図７】本実施形態における帰属後の処理の具体的な動作を示すシーケンス図である。
【図８】本実施形態におけるＳＳＩＤデータベース１０５の設定変更の処理の具体的な動作を示すシーケンス図である。
【発明を実施するための形態】
【００１５】
以下、本発明の一実施形態を、図面を参照しながら説明する。
図１は、本実施形態における無線通信システムのシステム構成を示す図である。本実施形態の無線通信システムは、ＡＰ１０、優先端末２０及びオペレータ端末３０を備える。無線通信システムの近傍には単数もしくは複数の無線端末４０（４０−１〜４０−ｎ：ｎは１以上の整数）が存在する。以下の説明では、無線端末４０を「外部端末４０」という。
【００１６】
ＡＰ１０は、無線ＬＡＮのアクセスポイントである。ＡＰ１０は、有線ケーブルを介してネットワークに接続されている不図示の通信機器との間で有線通信を行う。ＡＰ１０が接続しているネットワーク（以下、「有線区間」という。）の具体例として、有線ＬＡＮやＷＡＮ（Wide Area Network）がある。ＡＰ１０は、自装置（ＡＰ１０）に接続された無線端末（優先端末２０及び外部端末４０）と有線区間との間で通信の中継処理を行う。ＡＰ１０は、優先端末２０及び外部端末４０と無線通信を行う。
【００１７】
優先端末２０は、例えばスマートフォン、携帯電話機、ＰＤＡ（Personal Digital Assistant）、携帯ゲーム装置、タブレット装置、ノート型パーソナルコンピュータ等の情報処理装置を用いて構成される。優先端末２０は、ＡＰ１０との間で無線通信を行う。優先端末２０は、ＡＰ１０の所有者等のＡＰ関連者によって操作される。そのため、優先端末２０はＡＰ１０を介した通信において、その通信が優先される無線端末である。
【００１８】
オペレータ端末３０は、パーソナルコンピュータなどの情報処理装置を用いて構成される。オペレータ端末３０は、ＡＰ１０の設定を変更する場合に、ＡＰ関連者によって操作される。
外部端末４０（４０−１〜４０−ｎ）は、例えばスマートフォン、携帯電話機、ＰＤＡ、携帯ゲーム装置、タブレット装置、ノート型パーソナルコンピュータ等の情報処理装置を用いて構成される。外部端末４０は、ＡＰ１０との間で無線通信を行う。外部端末４０は、外部ユーザによって操作される。外部ユーザとは、ＡＰ関連者以外のユーザを表す。外部端末４０は、ＡＰ１０を介して通信を行う事が可能であるが、優先度は低く設定される。
【００１９】
図２は、ＡＰ１０の機能構成を表す概略ブロック図である。ＡＰ１０は、バスで接続されたＣＰＵ（Central Processing Unit）やメモリや補助記憶装置などを備え、中継プログラムを実行する。中継プログラムの実行によって、ＡＰ１０は、無線通信部１０１、制御部１０２、トラヒック監視部１０３、タイマー管理部１０４、ＳＳＩＤデータベース１０５、フレーム生成部１０６、中継部１０７、有線通信部１０８を備える装置として機能する。なお、ＡＰ１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。また、中継プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、中継プログラムは、電気通信回線を介して送受信されても良い。
【００２０】
無線通信部１０１は、各無線端末（優先端末２０及び外部端末４０）との間で無線信号を送受信する。具体的には、無線通信部１０１は、中継部１０７から中継された信号を各無線端末に送信する。また、無線通信部１０１は、各無線端末から受信された信号を中継部１０７に出力する。
制御部１０２は、ＡＰ１０の各機能部を制御する。例えば、制御部１０２は、ＡＰ関連者によってオペレータ端末３０に入力された指示に従って、ＳＳＩＤデータベース１０５の設定変更を行う。
【００２１】
トラヒック監視部１０３は、優先トラヒックの有無を監視する。優先トラヒックとは、優先端末２０を送信先又は送信元とするトラヒックである。優先トラヒックは、優先端末２０を送信元とするトラヒックに限定されても良い。例えば、トラヒック監視部１０３は、ＳＳＩＤデータベース１０５を参照することによって優先端末２０のトラヒックがあるか否かを監視する。
タイマー管理部１０４は、トラヒック監視部１０３が監視した結果に基づいてタイマーの管理を行う。例えば、タイマー管理部１０４は、トラヒック監視部１０３によって優先トラヒックが存在すると判定された場合、優先トラヒックに対応付けて設定された時間のカウントダウンを開始する。
【００２２】
ＳＳＩＤデータベース１０５は、磁気ハードディスク装置や半導体記憶装置などの記憶装置を用いて構成される。ＳＳＩＤデータベース１０５には、自装置（ＡＰ１０）に設定されているＳＳＩＤに関する情報が登録されている。ＳＳＩＤデータベース１０５は、例えば、自装置に設定されているＳＳＩＤ毎に、所有者、優先度、使用帯域、送信停止期間、ＣＴＳ送信頻度の各値を記憶している。
【００２３】
フレーム生成部１０６は、タイマー管理部１０４が管理しているタイマーに応じて、フレーム信号を生成する。例えば、フレーム生成部１０６は、タイマーが満了となるとＳＳＩＤデータベース１０５に記憶されている送信停止期間の値を用いてＣＴＳフレーム信号（制御信号）を生成する。ＣＴＳフレーム信号とは、無線端末によるフレーム送信を一定期間停止させる信号である。
中継部１０７は、無線通信部１０１と有線通信部１０８との間で中継処理を行う。
有線通信部１０８は、中継部１０７から中継された信号を有線区間に送信する。また、有線通信部１０８は、有線区間から入力された信号を受信し、中継部１０７に出力する。
【００２４】
図３は、ＳＳＩＤデータベース１０５の構成の具体例を表す図である。
ＳＳＩＤデータベース１０５は、自装置（ＡＰ１０）に設定されているＳＳＩＤに関する情報を表すレコード５０を複数有する。レコード５０は、ＳＳＩＤ、所有者、優先度、使用帯域、送信停止期間、ＣＴＳ送信頻度の各値を有する。
【００２５】
ＳＳＩＤの値は、レコード５０によって表されるＳＳＩＤを表す。所有者の値は、レコード５０によって表されるＳＳＩＤで接続する無線端末がＡＰ関連者の無線端末であるか否かを表す。所有者の値「関連」は、レコード５０によって表されるＳＳＩＤで接続する無線端末がＡＰ関連者の無線端末（優先端末２０）であることを表す。所有者の値「外部」は、レコード５０によって表されるＳＳＩＤで接続する無線端末が外部ユーザの無線端末（外部端末４０）であることを表す。
【００２６】
優先度の値は、レコード５０によって表されるＳＳＩＤで接続する無線端末が通信を行う際の優先順位を表す。優先度の値「高」は、優先順位が高いことを表す。また、優先度の値「低」は、優先順位が低いことを表す。
使用帯域の値は、レコード５０によって表されるＳＳＩＤで接続する無線端末が有線区間で使用する帯域を表す。なお、使用帯域の値は、送信レートの値で表されても良い。送信停止期間の値は、レコード５０によって表されるＳＳＩＤで接続する無線端末に対してフレーム送信を停止させる期間を表す。図３の具体例では、送信停止期間の単位として“ｍｓｅｃ（ミリ秒）”が設定されている。ＣＴＳ送信頻度の値は、レコード５０によって表されるＳＳＩＤで接続する無線端末に対してＣＴＳフレーム信号を送信する頻度（周期）を表す。図３の具体例では、ＣＴＳ送信頻度の単位として“ｍｓｅｃ（ミリ秒）”が設定されている。
【００２７】
また、使用帯域、送信停止期間及びＣＴＳ送信頻度の各値は、所有者の値が「外部」のレコード５０に設定される。即ち、使用帯域、送信停止期間及びＣＴＳ送信頻度の各値は、所有者の値が「関連」のレコード５０には設定されない。また、ＣＴＳ送信頻度の値は、同じレコード５０の送信停止期間の値よりも大きい値に設定される。また、ＳＳＩＤデータベース１０５の各項目（例えば、ＳＳＩＤ、所有者、優先度、使用帯域、送信停止期間、ＣＴＳ送信頻度）の値は、ＡＰ関連者によって設定されても良い。
【００２８】
図３に示す例では、ＳＳＩＤデータベース１０５には４つのＳＳＩＤが存在する。これら４つのＳＳＩＤは、“ＳＳＩＤ１”、“ＳＳＩＤ２”、“ＳＳＩＤ３”、“ＳＳＩＤ４”である。図３において、ＳＳＩＤデータベース１０５の最上段の行は、ＳＳＩＤの値が“ＳＳＩＤ１”、所有者の値が“関連”、優先度の値が“高”である。即ち、“ＳＳＩＤ１”は、ＡＰ関連者の優先端末２０がＡＰ１０に接続する際に用いるＳＳＩＤであり、高優先の通信が可能となるＳＳＩＤであることを表す。以下、このように高優先の通信が可能となるＳＳＩＤを「高優先ＳＳＩＤ」という。
【００２９】
また、図３において、ＳＳＩＤデータベース１０５の２段目の行は、ＳＳＩＤの値が“ＳＳＩＤ２”、優先度の値が“低”、使用帯域の値が“１１ｇ”、送信停止期間が“５０”、ＣＴＳ送信頻度が“１００”である。即ち、“ＳＳＩＤ２”は、外部端末４０がＡＰ１０に接続する際に用いるＳＳＩＤであり、１１ｇによる低優先の通信が可能となるＳＳＩＤであることを表す。さらに、“ＳＳＩＤ２”に関して、送信停止期間が“５０ｍｓｅｃ”であり、ＣＴＳ送信頻度が“１００ｍｓｅｃ”であることが表されている。以下、このように低優先の通信が可能となるＳＳＩＤを「低優先ＳＳＩＤ」という。図３における“ＳＳＩＤ３”及び“ＳＳＩＤ４”も低優先ＳＳＩＤである。
【００３０】
図４は、本実施形態におけるＡＰ１０による接続開始処理の流れを示すフローチャートである。接続開始処理とは、無線端末がＡＰ１０に接続する際に行われる処理である。以下、図４を用いて接続開始処理について説明する。
まず、ＡＰ１０の無線通信部１０１は、ＳＳＩＤブロードキャストを行う（ステップＳ１０１）。無線通信部１０１は、自装置（ＡＰ１０）のＳＳＩＤを受信した各無線端末からＳＳＩＤを受信する（ステップＳ１０２）。
【００３１】
トラヒック監視部１０３は、ＳＳＩＤデータベース１０５を参照することによって、高優先ＳＳＩＤの値を取得する。そして、トラヒック監視部１０３は、無線通信部１０１が受信した各無線端末のＳＳＩＤの中に、高優先ＳＳＩＤ（ＳＳＩＤ１：優先端末２０のＳＳＩＤ）が存在するか否かを判定する（ステップＳ１０３）。
【００３２】
高優先ＳＳＩＤが存在する場合（ステップＳ１０３−ＹＥＳ）、制御部１０２は、高優先ＳＳＩＤの送信元である無線端末について接続処理を行う（ステップＳ１０４）。接続処理とは、無線端末とＡＰ１０との間で無線通信を行うために必要となる処理である。高優先ＳＳＩＤが存在しない場合（ステップＳ１０３−ＮＯ）、又は接続処理が完了した後、トラヒック監視部１０３は、無線通信部１０１が受信した各無線端末のＳＳＩＤの中に、低優先ＳＳＩＤ（ＳＳＩＤ２〜４：外部端末４０のＳＳＩＤ）が存在するか否かを判定する（ステップＳ１０５）。
【００３３】
低優先ＳＳＩＤが存在する場合（ステップＳ１０５−ＹＥＳ）、制御部１０２は、低優先ＳＳＩＤの送信元である無線端末について接続処理を行う（ステップＳ１０６）。また、トラヒック監視部１０３はＳＳＩＤデータベース１０５を参照することによって、無線通信部１０１が受信した低優先ＳＳＩＤに対応するレコード５０を選択する。トラヒック監視部１０３は、選択したレコード５０の使用帯域及びＣＴＳ送信頻度の項目に記録されている値を取得する。
トラヒック監視部１０３は、取得した使用帯域の値を無線通信部１０１に出力する。無線通信部１０１は、出力された使用帯域の値を低優先ＳＳＩＤの送信元（外部端末４０）に送信する。
【００３４】
次に、タイマー管理部１０４は、取得したＣＴＳ送信頻度の値をタイマーに設定し、タイマーをスタートさせる（ステップＳ１０７）。タイマー管理部１０４は、タイマーが満了すると、フレーム生成部１０６にタイマー満了を通知する（ステップＳ１０８）。
【００３５】
フレーム生成部１０６は、タイマー満了が通知されると、ＳＳＩＤデータベース１０５を参照することによって、満了したタイマーにセットされていたＣＴＳ送信頻度に対応する低優先ＳＳＩＤに関するレコード５０から、送信停止期間及びＳＳＩＤの値を取得する。フレーム生成部１０６は、取得した送信停止期間の値を用いてＣＴＳフレーム信号を生成する（ステップＳ１０９）。
【００３６】
無線通信部１０１は、生成されたＣＴＳフレーム信号を、ステップＳ１０９で取得したＳＳＩＤに帰属している外部端末４０に送信する（ステップＳ１１０）。その後、タイマー管理部１０４は再びステップＳ１０７の処理に戻り、ＣＴＳ送信頻度の値をタイマーに設定しタイマーをスタートさせる。そして、Ｓ１０７以降の処理が実行される。
【００３７】
また、ステップＳ１０５の処理において、低優先ＳＳＩＤが存在しない場合（ステップＳ１０５−ＮＯ）、ＡＰ１０は図４に表される処理を終了する。
【００３８】
図５は、本実施形態におけるＳＳＩＤデータベース１０５の設定変更の処理の流れを示すフローチャートである。
まず、オペレータ端末３０はＡＰ関連者に操作されることによってＡＰ１０の設定変更の入力を受け付ける（ステップＳ２０１）。ＡＰ関連者による設定変更の入力が完了すると、オペレータ端末３０は設定変更情報を生成する。設定変更情報には、ＳＳＩＤデータベース１０５の変更内容の情報が含まれている。オペレータ端末３０は、設定変更情報をＡＰ１０に送信する（ステップＳ２０２）。
【００３９】
無線通信部１０１は、オペレータ端末３０から送信された設定変更情報を受信する。制御部１０２は、無線通信部１０１が受信した設定変更情報に従ってＳＳＩＤデータベース１０５を更新する。具体的には、制御部１０２は、設定変更情報に従ってＡＰ関連者によって新たに指定されたＳＳＩＤデータベース１０５の各項目の値を、ＳＳＩＤデータベース１０５に記録されている値に上書きすることによって更新を行う（ステップＳ２０３）。
ＳＳＩＤデータベース１０５の更新が完了すると、無線通信部１０１は変更結果をオペレータ端末３０に送信する（ステップＳ２０４）。
【００４０】
また、制御部１０２は、ＳＳＩＤデータベース１０５を参照し更新によって使用帯域の項目に変更が行われたか否かを判定する（ステップＳ２０５）。使用帯域の項目に変更が行われた場合（ステップＳ２０５−ＹＥＳ）、無線通信部１０１は自装置（ＡＰ１０）に帰属している外部端末４０に対してディオーセンティケーションフレーム（deauthentication flame）信号を送信し、外部端末４０との帰属を解除する（ステップＳ２０６）。ディオーセンティケーションフレーム信号は、自装置に帰属している外部端末４０に対して帰属解除を要求する際に用いられる信号である。そして、図５の処理が終了する。
ステップＳ２０５の処理において、使用帯域の項目に変更が行われていない場合（ステップＳ２０５−ＮＯ）、制御部１０２はＳＳＩＤデータベース１０５の設定処理を終了する。
【００４１】
以下、図６〜図８を用いて本実施形態におけるシーケンスの具体例について説明する。
まず、図６について説明する。図６は、本実施形態における接続開始処理の具体的な動作を示すシーケンス図である。
【００４２】
まず、ＡＰ１０の無線通信部１０１は、ビーコン（高優先ＳＳＩＤ）を各無線端末（優先端末２０及び外部端末４０）にブロードキャストする（ステップＳ３０１）。次に、無線通信部１０１は、ビーコン（低優先ＳＳＩＤ）を各無線端末にブロードキャストする（ステップＳ３０２）。
外部端末４０は、ＡＰ１０から発出された各ビーコン（高優先ＳＳＩＤ及び低優先ＳＳＩＤ）を受信する。外部端末４０は、自装置（外部端末４０）に設定されているＳＳＩＤ（低優先ＳＳＩＤ）をＡＰ１０にプローブ要求する（ステップＳ３０３）。
【００４３】
優先端末２０は、ＡＰ１０から発出された各ビーコン（高優先ＳＳＩＤ及び低優先ＳＳＩＤ）を受信する。優先端末２０は、自装置（優先端末２０）に設定されているＳＳＩＤ（高優先のＳＳＩＤ）をＡＰ１０にプローブ要求する（ステップＳ３０４）。
無線通信部１０１は、外部端末４０から送信されたプローブ要求を受信する。トラヒック監視部１０３は、無線通信部１０１が受信したプローブ要求に応じてＳＳＩＤデータベース１０５を参照する。プローブ要求された低優先ＳＳＩＤとブロードキャストした低優先ＳＳＩＤとが同じである場合、無線通信部１０１は外部端末４０にプローブ応答する（ステップＳ３０５）。
【００４４】
無線通信部１０１は、優先端末２０から送信されたプローブ要求を受信する。トラヒック監視部１０３は、無線通信部１０１が受信したプローブ要求に応じてＳＳＩＤデータベース１０５を参照する。プローブ要求された高優先ＳＳＩＤとブロードキャストした高優先ＳＳＩＤとが同じである場合、無線通信部１０１は優先端末２０にプローブ応答する（ステップＳ３０６）。
【００４５】
外部端末４０は、ＡＰ１０から送信されたプローブ応答を受信する。外部端末４０は、プローブ応答を受信すると、ＡＰ１０との間で認証を行う。具体的には、外部端末４０は、ＡＰ１０との間で予め設定されている認証方式（例えば、パスワード）に従って、ＡＰ１０に低優先ＳＳＩＤのパスワードを送信する（ステップＳ３０７）。
【００４６】
優先端末２０は、ＡＰ１０から送信されたプローブ応答を受信する。優先端末２０は、プローブ応答を受信すると、ＡＰ１０との間で認証を行う。具体的には、優先端末２０は、ＡＰ１０との間で予め設定されている認証方式（例えば、パスワード）に従って、ＡＰ１０に高優先ＳＳＩＤのパスワードを送信する（ステップＳ３０８）。
【００４７】
無線通信部１０１は、外部端末４０から送信された低優先ＳＳＩＤのパスワードを受信する。制御部１０２は、無線通信部１０１が受信した低優先ＳＳＩＤのパスワードと予め設定された低優先ＳＳＩＤのパスワードとが一致する否かを判定する。パスワードが一致する場合、無線通信部１０１は認証完了を外部端末４０に送信する。また、パスワードが異なる場合、無線通信部１０１はエラーを外部端末４０に送信する（ステップＳ３０９）。
【００４８】
無線通信部１０１は、優先端末２０から送信された高優先ＳＳＩＤのパスワードを受信する。制御部１０２は、無線通信部１０１が受信した高優先ＳＳＩＤのパスワードと予め設定された高優先ＳＳＩＤのパスワードとが一致する否かを判定する。パスワードが一致する場合、無線通信部１０１は認証完了を優先端末２０に送信する。また、パスワードが異なる場合、無線通信部１０１はエラーを優先端末２０に送信する（ステップＳ３１０）。
【００４９】
外部端末４０は、認証が完了すると、ＡＰ１０にアソシエーション要求を送信する（ステップＳ３１１）。アソシエーション要求とは、接続を要求する際に用いられる信号である。優先端末２０は、認証が完了すると、ＡＰ１０にアソシエーション要求を送信する（ステップＳ３１２）。
【００５０】
無線通信部１０１は、各無線端末から送信されたアソシエーション要求を受信する。トラヒック監視部１０３は、ＳＳＩＤデータベース１０５に記録されているレコード５０の中から、外部端末４０によって送信されたアソシエーション要求に含まれるＳＳＩＤ（低優先ＳＳＩＤ）に対応するレコード５０を選択する。トラヒック監視部１０３は、選択したレコード５０の優先度の値を取得する。トラヒック監視部１０３は、取得した優先度の値が「低」であるため、選択したレコード５０の使用帯域の項目に記録されている各値を取得する（ステップＳ３１３）。
フレーム生成部１０６は、トラヒック監視部１０３が取得した使用帯域の値を用いてアソシエーション応答信号（帯域制御信号）を生成する。アソシエーション応答信号は、アソシエーション要求に応答する際に用いられる信号であり、使用帯域の値を含む。
【００５１】
無線通信部１０１は、生成されたアソシエーション応答信号を外部端末４０に送信することによって接続を完了する（ステップＳ３１４）。この際、ＡＰ１０は、外部端末４０に対して使用帯域の値を含むアソシエーション応答信号を送信している。そのため、ＡＰ１０は、有線区間において自装置（ＡＰ１０）に帰属している外部端末４０の使用帯域を制限することができる。
【００５２】
トラヒック監視部１０３は、ＳＳＩＤデータベース１０５に記録されているレコード５０の中から、優先端末２０によって送信されたアソシエーション要求に含まれるＳＳＩＤ（高優先ＳＳＩＤ）に対応するレコード５０を選択する。トラヒック監視部１０３は、選択したレコード５０の優先度の値を取得する。トラヒック監視部１０３は、取得した優先度の値が「高」であるため、使用帯域の項目の値を取得せず、フレーム生成部１０６にアソシエーション応答信号の生成を指示する。
【００５３】
フレーム生成部１０６は、トラヒック監視部１０３から生成指示がなされるとアソシエーション応答信号を生成する。無線通信部１０１は、生成されたアソシエーション応答信号を優先端末２０に送信することによって接続を完了する（ステップＳ３１５）。この際、ＡＰ１０は、優先端末２０に対して使用帯域の値を含まないアソシエーション応答信号を送信している。そのため、ＡＰ１０は、有線区間において自装置（ＡＰ１０）に帰属している優先端末２０に対して使用帯域を制限しない。そして、図６の処理が終了する。
【００５４】
次に、図７について説明する。図７は、本実施形態における帰属後の処理の具体的な動作を示すシーケンス図である。
まず、タイマー管理部１０４は、ＳＳＩＤデータベース１０５を参照することによって、低優先ＳＳＩＤに対応するＣＴＳ送信頻度の値を取得する。タイマー管理部１０４は、取得したＣＴＳ送信頻度の値をタイマーに設定する。タイマー管理部１０４は、設定したタイマーをスタートさせる（ステップＳ４０１）。
タイマー管理部１０４は、タイマーが満了すると、フレーム生成部１０６にタイマー満了を通知する。その後、タイマー管理部１０４は再びステップＳ４０１の処理に戻り、ＣＴＳ送信頻度の値をタイマーに設定しタイマーをスタートさせる。
【００５５】
フレーム生成部１０６は、タイマー満了が通知されると、ＳＳＩＤデータベース１０５に記録されているレコード５０のうち、低優先ＳＳＩＤに対応するレコード５０を選択する。フレーム生成部１０６は、選択したレコード５０に記録されている送信停止期間の値を取得する（ステップＳ４０２）。フレーム生成部１０６は、取得した送信停止期間の値を用いてＣＴＳフレーム信号を生成する（ステップＳ４０３）。
【００５６】
無線通信部１０１は、生成されたＣＴＳフレーム信号を外部端末４０に送信する（ステップＳ４０４）。外部端末４０は、ＣＴＳフレーム信号を受信する。外部端末４０は、受信したＣＴＳフレーム信号に含まれている送信停止期間の間、フレーム送信を停止する（ステップＳ４０５）。
【００５７】
無線通信部１０１は、外部端末４０にとっての送信停止期間中であっても、優先端末２０との間で無線通信を行う（ステップＳ４０６）。また、優先端末２０は、外部端末４０にとっての送信停止期間中であっても、ＡＰ１０との間で無線通信を行う（ステップＳ４０７）。送信停止期間が満了すると、外部端末４０はＡＰ１０との間で無線通信を行う。この際、外部端末４０は、有線区間においてステップＳ３１４の処理でＡＰ１０から送信された使用帯域で通信を行う（ステップＳ４０８）。また、送信停止期間が満了すると、無線通信部１０１は、外部端末４０との間で無線通信を行う（ステップＳ４０９）。
【００５８】
タイマー管理部１０４は、設定したタイマーが満了となると、フレーム生成部１０６にタイマー満了を通知する。フレーム生成部１０６は、タイマー満了が通知されると、ＳＳＩＤデータベース１０５に記録されているレコード５０のうち、満了したタイマーに設定されていたＣＴＳ送信頻度に対応するレコード５０を選択する。フレーム生成部１０６は、選択したレコード５０に記録されているＳＳＩＤ及び送信停止期間の値を取得する（ステップＳ４１０）。
【００５９】
フレーム生成部１０６は、取得した送信停止期間の値を用いてＣＴＳフレーム信号を生成する（ステップＳ４１１）。無線通信部１０１は、生成されたＣＴＳフレーム信号を、取得されたＳＳＩＤの外部端末４０に送信する（ステップＳ４１２）。その後、ステップＳ４０５以降の処理が繰り返し実行される。なお、ステップＳ４０２〜Ｓ４０４の処理は、ステップＳ４１０〜Ｓ４１２の処理と実質的に同じである。
【００６０】
図８は、本実施形態におけるＳＳＩＤデータベース１０５の設定変更の処理の具体的な動作を示すシーケンス図である。
オペレータ端末３０は、ＡＰ関連者に操作されることによってＡＰ１０に接続する（ステップＳ５０１）。ＡＰ１０は、オペレータ端末３０にＳＳＩＤデータベース１０５の設定画面を表示する（ステップＳ５０２）。オペレータ端末３０は、ＡＰ関連者に操作されることによって、ＳＳＩＤデータベース１０５の設定変更の入力を受け付ける（ステップＳ５０３）。オペレータ端末３０は、ＡＰ関連者による設定変更の入力が完了すると設定変更情報を生成する。オペレータ端末３０は、設定変更情報をＡＰ１０に送信する（ステップＳ５０４）。
【００６１】
ＡＰ１０の無線通信部１０１は、オペレータ端末３０から送信された設定変更情報を受信する。制御部１０２は、無線通信部１０１が受信した設定変更情報に従ってＳＳＩＤデータベース１０５の各項目を、ＡＰ関連者によって指示された各項目の値で上書きして記録することによって更新する（ステップＳ５０５）。
【００６２】
ＳＳＩＤデータベース１０５の更新が完了すると、無線通信部１０１は変更結果をオペレータ端末３０に送信する（ステップＳ５０６）。その後、無線通信部１０１は、外部端末４０にディオーセンティケーションフレーム信号を送信する（ステップＳ５０７）。外部端末４０は、ディオーセンティケーションフレーム信号を受信し、ＡＰ１０への帰属を解除する。その後、外部端末４０は、再びＡＰ１０に接続処理を行う（ステップＳ５０８）。そして、図８の処理が終了する。
【００６３】
以上のように構成されたＡＰ１０は、有線区間及び無線区間において外部端末４０に対して制御を行う。具体的には、ＡＰ１０は外部端末４０と接続する際に外部端末４０の使用帯域を制限する。また、ＡＰ１０は、所定の周期でＣＴＳフレーム信号を外部端末４０に送信することによってフレーム送信を停止させる。したがって、ＡＰ１０は、無線区間においては外部端末４０のフレーム送信を制御し、有線区間においては外部端末４０の使用帯域を制御することができる。その結果、有線区間において優先端末２０が通信を行う際に使用する通信帯域が圧迫されることが無くなる。また、無線区間において優先端末２０は、優先的に無線通信を行うことができる。そのため、優先端末２０が通信を行う際に生じる悪影響を軽減させることが可能となる。
また、ＡＰ１０は、ＳＳＩＤデータベース１０５の項目が変更された際に、外部端末４０との帰属を一度解除して、再び外部端末４０からの接続を受け付ける。そのため、ＳＳＩＤデータベース１０５の変更結果を外部端末４０に即座に反映させることができる。
【００６４】
＜変形例＞
本実施例では、ＡＰ関連者の優先端末２０が単数の構成を示したが、これに限定される必要はなく、優先端末２０が複数存在しても良い。また、ＡＰ関連者は、必ずしも一人である必要はなく、複数人であっても良い。例えば、ＡＰ関連者が家族など複数人いる場合には、家族全員がＡＰ関連者となるように構成されても良い。
【００６５】
ＡＰ１０は、上記のような外部端末４０への制御（使用帯域の制限及びフレーム送信の停止）を、優先端末２０が帰属している場合にのみ実行しても良い。このような構成では、優先端末２０が通信を行っていない場合、ＡＰ１０は外部端末４０に対してフレーム送信の停止や使用帯域の制御を行わない。そのため、外部端末４０に対して通信リソースを無駄なく利用させることができる。
【００６６】
また、外部端末４０が高優先の無線端末となるように構成されても良い。
また、ＳＳＩＤデータベース１０５の設定変更は、上述の処理に限定される必要はない。例えば、ＡＰ１０が接続しているＷＡＮ側のオペレータによってＳＳＩＤデータベース１０５の設定変更されるように構成されても良い。
【００６７】
以上、この発明の実施形態について図面を参照して詳述してきたが、具体的な構成はこの実施形態に限られるものではなく、この発明の要旨を逸脱しない範囲の設計等も含まれる。
【符号の説明】
【００６８】
１０…ＡＰ（無線中継装置），  ２０…優先端末（無線端末），  ３０…オペレータ端末，  ４０（４０−１〜４０−ｎ）…外部端末（無線端末），  １０１…無線通信部，  １０２…制御部，  １０３…トラヒック監視部，  １０４…タイマー管理部，  １０５…ＳＳＩＤデータベース（記憶部），  １０６…フレーム生成部（生成部），  １０７…中継部，  １０８…有線通信部
【図１】
2014096660.tif 000003
【図２】
2014096660.tif 000004
【図３】
2014096660.tif 000005
【図４】
2014096660.tif 000006
【図５】
2014096660.tif 000007
【図６】
2014096660.tif 000008
【図７】
2014096660.tif 000009
【図８】
2014096660.tif 000010